(57)【要約】      （修正有）【課題】明確な画像を復元し、ユーザの観察を容易にし、小さな規模、低い電力消費と共に簡易な構造を得る、ホログラフィック再構成装置を提供する。【解決手段】画像再構成装置は、合成ホログラム９、ホログラムシート９１、及び復元光１２を含み、合成ホログラムは平らな円盤状の輪郭であってホログラムシート上に配置され、復元光はＬＥＤであってホログラムシート下に配置される。ＬＥＤは、小さな規模、より少ない電力消費、簡易な構成部品、及び限定された帯域幅という優位性を備え、復元画像を明確にする。平らな円盤状の合成ホログラムの応用は、再構成の間の滑らかに横たわる配置におけるものであり、復元画像が合成ホログラムの頂上上方に配置されるので、好ましくはより少ない空間を占有し、ユーザの観察を容易にする。【選択図】図７
0003187397.tif 000002
【実用新案登録請求の範囲】
【請求項１】
ホログラフィック再構成装置は合成ホログラム、ホログラムシート、及び復元光を含み、前記合成ホログラムは平らな円盤状の輪郭(contour)に形成されて前記ホログラムシート上に配置され、前記復元光はＬＥＤを採用して前記ホログラムシートの下方に配置される、ことを特徴とする。
【請求項２】
請求項１に記載の装置であって、前記ホログラムシートは前記ホログラフィック再構成装置の本体と一体化している(is identical to)。
【請求項３】
請求項１に記載の装置であって、前記装置は、前記ホログラムシートを回転させることによって前記合成ホログラムの回転を駆動する駆動機構を更に有する。
【請求項４】
請求項３に記載の装置であって、前記駆動機構は、モータ及び減速ギア組立部品を有し、前記減速ギア組立部品は小さなギア及び大きなギアを有し、前記小さなギアは前記モータに接続し、前記大きなギアは前記ホログラムシートの外周に取り付けられ、これによって、前記減速ギア組立部品によって前記モータに前記ホログラムを回転させる。
【請求項５】
請求項３に記載の装置であって、前記駆動機構は、モータ及びベルト車の組合せ又はモータ及びチェーンの組合せである。
【請求項６】
請求項３に記載の装置であって、前記装置は本体を含み、前記ホログラムシートは前記本体に回転可能に取り付けられ、前記駆動機構及び前記ＬＥＤは前記本体に取り付けられる。
【請求項７】
請求項１に記載の装置であって、前記ＬＥＤは白色光によって作られる。
【請求項８】
請求項１に記載の装置であって、前記ＬＥＤは単色の色とりどりの光によって作られる。
【請求項９】
請求項１に記載の装置であって、前記ＬＥＤは、プログラム制御器によって色変化及び組合せが操作される、複数色を詰め合わせた光によって作られる。
【請求項１０】
請求項１に記載の装置であって、前記合成ホログラムが出射されているときに参照ビームは円盤状のプレート(plate)の軸に関して同軸であり、前記ＬＥＤは前記ホログラムシートの真下の基板上に配置され前記合成ホログラムの軸に忠実に(true to)位置する。
【請求項１１】
請求項１に記載の装置であって、前記合成ホログラムが出射されているときに参照ビームは円盤状のプレート(plate)の軸から外れ、前記ＬＥＤは前記ホログラムシートの真下の基板上に配置され前記合成ホログラムの軸から外れて位置する。
【請求項１２】
請求項１に記載の装置であって、前記合成ホログラムは重複する隣接した２回の(twice)露光領域を有する。
【請求項１３】
請求項１に記載の装置であって、前記合成ホログラムが外部に接触する表面を透明保護層が覆う。
【請求項１４】
請求項１３に記載の装置であって、前記透明保護層は、ガラス、ＰＥＴ、又はＰＭＭＡによって作られる。
【請求項１５】
請求項１、１０、１１、１２、又は１３に記載の装置であって、前記合成ホログラムの出射の下、カメラのカメラ出射角度は３０°から４０°の範囲にわたり、前記円盤状のプレート(plate)及び対象物の回転角度は０．１°から１°の範囲にわたり、対象物ビームの入射角は３０°から９０°の範囲にわたり、前記対象物ビームの収束と前記円盤状のプレート(plate)の間の距離は１０から２０ｃｍの範囲にわたる。
【請求項１６】
ホログラムを復元可能な携帯型電気製品は、ウィンドウを有する主要本体と、前記ウィンドウを有し、前記電気製品の電源に電気的に接続された、請求項１から１４に上記して記載した前記ホログラフィック再構成装置と、を含む。
【請求項１７】
請求項１６に記載の製品であって、前記携帯型電気製品は、携帯電話、ノートパソコン、ＰＤＡ、カメラ、及びプロジェクタを採用する。
【請求項１８】
ホログラムを復元可能な携帯型電気製品は、ウィンドウを有する主要本体と、前記ウィンドウを有し、前記電気製品の電源に電気的に接続された、請求項１５に上記して記載した前記ホログラフィック再構成装置と、を含む。
【請求項１９】
請求項１８に記載の製品であって、前記携帯型電気製品は、携帯電話、ノートパソコン、ＰＤＡ、カメラ、及びプロジェクタを採用する。
【考案の詳細な説明】
【技術分野】
【０００１】
本発明は画像再構成装置に関し、特に、ホログラフィック再構成装置及び携帯型電気製品へのその応用に関する。
【背景技術】
【０００２】
携帯電話、ノートパソコン、ＰＤＡ、カメラ及び関連するプロジェクタなどの一般的な携帯型電気製品は、通常、表示画面上に画像を表示することはできるが、それら画像を個別の自由空間上に個別に表示することはできない。ホログラフィは周知のように発達しており、自由空間上における個別のパフォーマンスを電気製品にもたらす。
【０００３】
通常、最新のホログラフィは、物体波の波面の再現を得るための、干渉及び回折を利用する技術である。そのような手法に関して、２つのステップが必要とされる。図１に示されるように、第１の射出において、干渉の応用(application)は物体波を記録する、即ち、レーザがレーザ光源１から出射されて、ビームスプリッタ２により対象物ビーム２１及び参照ビーム２２に分割される。
【０００４】
対象物ビーム２１が対象物３上に入射するとき、干渉を作り出すために対象物ビーム２１の拡散が参照ビーム２２に重ね合わさり、対象物３の波上の各位相と振幅が、多様な空間に適応する強度の値に変換される。その後、物体波の詳細を示すコントラスト及び干渉縞模様の間隔がプレート(plate)４によって記録される。干渉縞模様をプレートに展開及び固定した後に、完成したホログラム(hologram)、いわゆるホログラフ(holograph)が完成される。
【０００５】
図２に示されるように、画像を復元又は再構成するための第２の手続きにおいて、回折の応用(application)は物体波を再現させる。一般的に、複合の回折格子の画像(complex grating image)としてのホログラムは、復元された干渉レーザ(rebuilt coherent laser)１０の照射の下で、２つの画像として機能する(perform)。それら画像は、実画像３１（即ち、初期画像(initial image)。）及び仮想画像３２（即ち、共役画像(conjugate image)。）と称される。それら画像は強度に立体的(strongly stereoscopic)であり、現実の視覚効果をもたらす。
【０００６】
今日に至るまでに、ホログラフィは改良されて発達してきた。合成ホログラフィック場においてステレオ画像を復元するために、白色光が許容可能に利用されることは、当業者にとって今では一般的に知られている。そのような場は、虹ホログラフィの原理と一般的な射出を結合する。図３を参照すると、合成画像装置は、光源１、反射ミラー、ビームスプリッタ２、カメラ５、ＬＣＤ６、台３３、及びプレートベース(plate base)４１を備えている。ここで、カメラ５はある角度によって台３３の周囲を回転するために台３３の上方に配置される、若しくは、カメラ５が静止する場合には台３３が自己回転する。カメラ５は、３次元画像をＬＣＤに伝送し、表示させる。光源１がレーザをビームスプリッタ２に対して出射したときに、ビームスプリッタ２はそのレーザを対象物ビーム２１及び参照ビーム２２に分割する。対象物ビームは反射ミラーを通って波フィルタ器(wave filtrate device)７１に入射して光収束ミラー７２に到達し、そこで光は、ＬＣＤ６を貫通した後に対象物の３次元画像がレンズ７３を通過するようにする。その画像は、ここで軸外の参照ビーム２２に介在されて、回転するプレートベース(plate base)４１上のプレート４に射出される。プレートベース(plate base)４１の回転速度は、台３３の回転速度に対応する。画像をプレート(plate)４に映し出した後に、干渉縞模様の集合が形成されて、プレートに展開及び固定した後に、完成した合成ホログラム９が結果としてもたらされる。
【０００７】
復元に利用される白色光と合成ホログラムの射出に対する干渉光の応用(application)は、虹のような７つの色への分離をもたらす。これは、白色光が、発散した屈折(divergent refractions)を備える７つの色の性質を有するためである。対照的に、射出中の白色光の応用(application)の事象(event)において、プレート(plate)を通過する光の貫通による光回折効率は、カメラ及び台の角度、台又はカメラの回転速度、及びプレートの露光領域を示すパラメータを制御することで向上される。さらに、ホログラムの再構成は依然として白色光を選択することができるものの、白色光、即ち、７つの色のビームに伴う主な問題として、十分な鮮明さに欠け、その結果、複雑な自己成分と幅の広い光電式テープ(photo-tape)が必要になる。
【０００８】
合成ホログラフィの公表後、人々は、円錐面、円柱、及び他の種類のものを有する合成ホログラムを発展させてきた。ここで、円錐形の合成ホログラムの応用(application)は、円錐形の表面を平らにし、出射におけるプレート画像の後に、その平らにした表面を巻き上げることである。円柱のホログラムの応用(application)は、円柱の表面を平らにし、出射におけるプレート画像の後に、その平らにした表面を巻き上げることである。図４及び５に示されるように、参照ビームの方向に関する白色光は、復元の間、合成ホログラムの下に配置され、通常、蛍光灯が採用される。ホログラムを通過する光は、円錐形の合成ホログラムの頂上において実画像を形成し、円柱の合成ホログラムの内部（chamber）において仮想画像を形成する。光学収差によって、右側に偏った(right-bias)画像は左目に対して視認可能であり、左側に偏った(left-bias)画像は右目に対して視認可能である。従って、脳に送られるそれらの視差画像が、３次元ステレオ画像として解釈される。
【０００９】
画像復元システムにおいて利用される上述した円錐形及び円柱の合成ホログラムは、復元の間、プレートは直立して配置されなければならず、光の復元は、大きな規模(magnitude)、高い電力、及び高いコストを必要とする。さらに、ユーザが円錐形の合成ホログラムの下方に一旦立った場合、又は、円柱のホログラム上方若しくは下方に立った場合、観察角度が影響されて、彼又は彼女は復元画像を見ることができなくなる。従って、そのような従来の画像再構成装置では、現在の携帯型電気製品に採用することができない。
【００１０】
従って、本発明の応用(application)は、ホログラフィック再構成装置の研究に打ち込み、現在の携帯型電気製品と許容して協調する、ある新しい発明を設計することである。
【考案の概要】
【００１１】
本発明の目的は、明確な画像を復元し、ユーザの観察を容易にし、小さな規模、低い電力消費と共に簡易な構造を得る、ホログラフィック再構成装置を提供することである。
【００１２】
本発明の他の目的は、一般的な電気製品のサイズと適合するサイズの製品が、自由空間において現実的なステレオ画像を個別に実現し、便利な観察をもたらすことができるように、ホログラムを復元可能な携帯型電気製品を提供することである。
【００１３】
前記目的を達成するために、本発明に従うホログラフィック再構成装置は合成ホログラム、ホログラムシート、及び復元光を含み、前記合成ホログラムは平らな円盤状の輪郭(contour)に形成されて前記ホログラムシート上に配置され、前記復元光はＬＥＤを採用して前記ホログラムシートの下方に配置される。
【００１４】
好ましくは、前記ホログラムシートは前記ホログラフィック再構成装置の本体として構成される。
【００１５】
好ましくは、前記装置は、前記ホログラムシートを回転させることによって前記合成ホログラムの回転を駆動する駆動機構を更に有する。
【００１６】
好ましくは、前記駆動機構は、モータ及び減速ギア組立部品を有し、前記減速ギア組立部品は、小さなギア及び大きなギアを有する。前記減速ギア組立部品によって前記ホログラムを前記モータに回転させるように、前記小さなギアは前記モータに接続し、前記大きなギアは前記ホログラムシートの外周に取り付けられる。
【００１７】
好ましくは、前記駆動機構は、モータ及びベルト車の組合せ又はモータ及びチェーンの組合せである。
【００１８】
好ましくは、前記装置は本体を含み、前記ホログラムシートは前記本体に回転可能に取り付けられ、前記駆動機構及び前記ＬＥＤは前記本体に取り付けられる。
【００１９】
好ましくは、前記ＬＥＤは白色光によって作られる。
【００２０】
好ましくは、前記ＬＥＤは単色光によって作られる。
【００２１】
好ましくは、前記ＬＥＤは、プログラム制御器によって色変化及び組合せが操作される、複数色を詰め合わせた光によって作られる。
【００２２】
好ましくは、前記合成ホログラムが出射されているときに参照ビームは円盤状のプレート(plate)の軸に関して同軸であり、前記ＬＥＤは前記ホログラムシートの真下の基板上に配置され前記合成ホログラムの軸に忠実に(true to)位置する。
【００２３】
好ましくは、前記合成ホログラムが出射されているときに参照ビームは円盤状のプレート(plate)の軸から外れ、前記ＬＥＤは前記ホログラムシートの真下の基板上に配置され前記合成ホログラムの軸から外れて位置する。
【００２４】
好ましくは、前記合成ホログラムは重複する隣接した２回の(twice)露光領域を有する。
【００２５】
好ましくは、前記合成ホログラムが外部に接触する表面を透明保護層が覆う。
【００２６】
好ましくは、前記透明保護層は、ガラス、ＰＥＴ、又はＰＭＭＡによって作られる。
【００２７】
好ましくは、前記合成ホログラムの出射の下、カメラのカメラ出射角度は３０°から４０°の範囲にわたり、前記円盤状のプレート(plate)及び対象物の回転角度は０．１°から１°の範囲にわたり、対象物ビームの入射角は３０°から９０°の範囲にわたり、前記対象物ビームの収束と前記円盤状のプレート(plate)の間の距離は１０から２０ｃｍの範囲にわたる。
【００２８】
ホログラムを復元可能な携帯型電気製品は、ウィンドウを有する主要本体と、前記ウィンドウを有し、前記電気製品の電源に電気的に接続された、上記して記載した前記ホログラフィック再構成装置と、を含む。
【００２９】
好ましくは、前記携帯型電気製品は、携帯電話、ノートパソコン、ＰＤＡ、カメラ、及びプロジェクタなどを採用する。
【００３０】
従来の画像再構成装置と比較すると、本発明は以下の優位性を有する。
１．本発明はＬＥＤを復元光として採用し、これは小さな規模の簡易な構成部品に適していると共に、ＬＥＤの白色光は赤、緑、及び青のみが混ぜ合わされているために限定された帯域幅でもある。そのため、ＬＥＤによって再構成された画像はより鮮明である。さらに、ＬＥＤは、色変更のためのプログラム制御器によって変化させることが可能であり、それによって、出射において利用される色とりどりの光の光源に適した多重光出射を提供して、すばらしいパフォーマンスを得るために、そこから明確な画像を復元するか、又は、復元画像上に特定の色を投影する。
２．平らな円盤状の合成ホログラムの応用は、ある意味で、復元する間の滑らかに横たわる位置であり、合成ホログラムの頂上上方に復元画像が配置されているので、これは好ましくはより少ない空間を占有し、ユーザの観察を容易にする。
【００３１】
要するに、小型化、平らにするモジュール、及び簡易な構造の特徴を備える簡単な画像再構成装置は、携帯電話、ノートパソコン、ＰＤＡ、カメラ、表示プロジェクタなどのような様々な携帯型デジタル製品に内蔵させることができる。
【００３２】
従って、これらの製品は現実的な画像を個別の空間に表示させることができ、強力な視覚及び鮮明な印象を形成し、これによって、愉快な効果を増進させる。
【００３３】
関連図と以下の詳細な説明を読むことによって、既知の先行技術に対する本発明の有利点が当業者にとってより明白になるであろう。
【図面の簡単な説明】
【００３４】
【図１】従来発明の出射を示す説明図である。
【図２】従来ホログラムの復元を示す説明図である。
【図３】従来合成ホログラムの出射を示す説明図である。
【図４】円錐形の合成ホログラムの復元を示す説明図である。
【図５】円柱型の合成ホログラムの復元を示す説明図である。
【図６】本発明に係るホログラフィック再生構成装置を示す断面図である。
【図７】本発明に係るホログラフィック再生構成装置上の駆動機構を示す断面図である。
【図８】本(present)合成ホログラムの出射を示す説明図である。
【図９】合成ホログラム上における、四角形状の輪郭(contour)による重複した露光領域を示す説明図である。
【図１０】合成ホログラム上における、円形状の輪郭(contour)による重複した露光領域を示す説明図である。
【図１１】本発明に係る合成ホログラムのような、軸外の円盤形状の復元を示す説明図である。
【図１２】本発明に係る合成ホログラムのような、同軸上の円盤形状の出射を示す説明図である。
【図１３】本発明に係る合成ホログラムのような、同軸上の円盤形状の復元を示す説明図である。
【図１４】携帯電話に採用された本(present)ホログラフィック再構成装置の復元を示す説明図である。
【図１５】ノートパソコンに採用された本(present)ホログラフィック再構成装置の復元を示す説明図である。
【図１６】は、表示装置に採用された本(present)ホログラフィック再構成装置の復元を示す説明図である。
【符号の説明】
【００３５】
１  レーザ光源
１０  復元された干渉レーザ(rebuilt coherent laser)
１１  白色光
１２  ＬＥＤ
２  ビームスプリッタ
２１  対象物ビーム
２２  参照ビーム
３  対象物
３１  実画像
３２  仮想画像
３３  台
４  プレート(plate)
４１  回転ベース
５  カメラ
６  ＬＣＤ
７１  波フィルタ器(wave filtrate device)
７２  光収束ミラー
７３  レンズ
８  シャドーマスク
９  円盤状型合成ホログラム
９１  ホログラムシート
９２  駆動機構
９３  基板
９４  ウィンドウ
９５  保護層
９６  透明導電ゲル(gel)
９７  フレーム(frame)
９８  本体部
【考案を実施するための形態】
【００３６】
図６を参照すると、本発明に従うホログラフィック再構成装置は、合成ホログラム９、ホログラムシート９１、及び復元光１２を備える。ここで、合成ホログラム９は、平らな円盤状の輪郭(contour)を形成する。合成ホログラム９が外部に接触してダメージを受け、ホログラム９の画像に影響することを防ぐために、透明材料により作られる保護層９５が、合成ホログラム９が外部に接触する表面であって、露光された又は非露光された表面を覆うために好ましくは利用される。その代わりに、それら表面の両方が、保護層に接触することができる。透明材料は、ガラス、ＰＥＴ、又はＰＭＭＡとすることができる。保護層９５は、透明導電ゲル(gel)９６によって合成ホログラム９に接着される。保護層９５及び合成ホログラム９の外周付近は、袖付きの(sleeved)フレーム(frame)９７を有し、フレーム(frame)９７は、ホログラムシート９１を備える保護層９５及び合成ホログラム９が配置されるとき又はシート９１から取り除かれるときに、それらの摩擦又は衝突によりもたらされるダメージを防止する。
【００３７】
図８を参照すると、円盤状型合成ホログラム９は、合成画像装置の出射によって実行される。図８に係る円盤形状の合成画像装置と図３の合成画像装置との間の違いは、本(present)実施の形態は、一連のレンズ７３及びプレート(plate)４の間に、四角形状又は円形状の開口部を有するシャドーマスク８を配置することである。図９を参照すると、対象物ビーム２１及び参照ビーム２２が相互に干渉し、それらが回転ベース４１上の円盤状プレート(plate)４に出射されたときに、合成ホログラム９は互いに重複した露光領域を有する。即ち、第２の露光領域が第１の露光領域に変換され、その密集された領域が、図９に示されるような四角形状の構成(formation)、図１０に示されるような円形状、又はシャドーマスク８の開口部輪郭に従ったその他の適切な輪郭(contour)を形成する。円盤状型合成ホログラムの同一の位置(identical position)に影響を与える(impinging on)多重の露光を考慮すると、その光回折は減少するが、カメラの角度、円盤プレート(plate)及び対象物の回転速度、対象物ビーム又は参照ビームの入射角、及び露光領域の範囲を示すパラメータが出射において最適化される場合には、その回折は依然として維持される。ここで、図８は、３０°から４０°の範囲のカメラのカメラ出射角度θ、０．１°から１°に限定された円盤状のプレート(plate)４及び対象物３の回転角度δ、及び３０°から９０°の参照ビーム２２の入射角αを示し、同時に(concurrently)、対象物ビーム２１は、円盤状のプレート４(plate)の軸と同軸にある。さらに、対象物ビーム２１の収束と円盤状のプレート４の間の距離Ｄは１０から２０ｃｍの範囲にわたる。パラメータは図１２において示され、対象物ビームの入射角φは３０°から４５°の範囲にわたり、同時に(concurrently)、参照ビーム２２は円盤状のプレート(plate)４に関して同軸にある。さらに、対象物ビーム２１の収束と円盤状のプレート(plate)４の間の距離Ｄは、依然として１０ｃｍから２０ｃｍの範囲にわたる。上記に説明したそのようなパラメータは、鮮明な画像の復元又は再構成における、合成ホログラムの出射に役立つ。
【００３８】
図８を参照すると、参照ビーム２２は円盤状のプレート(plate)４の軸と交差するため、円盤状型合成ホログラム９は軸外の画像として実現され、（図１１に示されるように）復元画像は円盤状のプレート(plate)４の頂上から外れた軸上に示される。図１２において、出射において参照ビーム２２及び円盤状のプレート４の軸が同軸である場合、円盤状型合成ホログラム９は同軸上の画像となり、このことは、（図１３に示されるように）円盤状のプレート(plate)４の右頂点から離れた軸線上に復元画像を示すようになる。光学収差によって、右側に偏った(right-bias)画像は左目に対して視認可能であり、左側に偏った(left-bias)画像は右目に対して視認可能である。従って、それらの視差画像は脳に送出されて３次元のステレオ画像として解釈される。
【００３９】
図６を参照すると、ホログラムシート９１は円盤状型合成ホログラム９を受け取るのに役立つ、又は、ホログラムシート９１はホログラフィック再構成装置自身の本体となることができる。ホログラムシート９１が回転しないときに、円盤状型合成ホログラム９は静止画像を復元する。図７を参照すると、ホログラムシート９１はホログラフィック再構成装置の本体部９８の一部とすることもできる。ホログラムシート９１及び本体部９８の間には軸上が取り付けられ、ホログラムシート９１は駆動機構９２に接続する。駆動機構９２は、モータ９２２及び減速ギア組立部品９１１、９２１を備える。ここで、減速ギア組立部品は、小さなギア９２１及び大きなギア９１１を有する。動的な画像を復元するために、駆動機構９２がホログラムシート９１を回転させ、さらに円盤状型合成ホログラム９を回転動作させるように、小さなギア９２１はモータ９２２に接続し、大きなギア９１１はホログラムシート９１の外周に取り付けられる。さらに、駆動機構９２は、例えばベルト車やチェーンの集合の、ホログラムシート９１を回転させる他の手段を採用することができる。復元画像の鮮明さを保持し、歪みを減少させるために、ホログラム９の回転速度と出射の回転速度は同一である。
【００４０】
図６を参照すると、ホログラムシート９１下の復元光１２はＬＥＤを採用し、基板９３上又はＬＥＤを固定するのに適した構造上に配置される。基板９３は、電子産業に利用される一塊のＰＣＢプレート(plate)である。基板９３は、ベース９８上に取り付けられる。軸外の手法によって合成ホログラムの像を取得する場合、（図１１に示されるように、）鮮明な復元画像を得られるように、ホログラムシート９１の下に配置されたＬＥＤ１２は、出射の間、参照ビームの位置上に配置されるためにホログラム９の軸から外れる。一方で、円盤状型合成ホログラム９が同軸上の像を取得する場合、（図１３に示されるように、）ホログラム９の軸上への出射のときに、ホログラムシート９１の真下のＬＥＤ１２は、参照ビームの位置上に配置される。ここで、ＬＥＤ１２は、白色光、単色光、複数色を詰め合わせた光、又は可変色光のいずれかによって作られる。ＬＥＤ１２が可変又は発散色の光を採用するとき、その色変化と組合せはプログラム制御器によって操作され、このために、復元画像は、色変化に従った豊富な色と多様な効果を示す。
【００４１】
本発明において、２つの特徴が本質的に含まれている。
第１に、本発明は、好ましくは縮刷印刷によって成形及び複製可能な、円盤状型合成ホログラムを採用する。そのようなホログラムは、低いコストで容易に製造することができ、一塊の製品とすることができる。従来の円錐形又は円柱のホログラムと比較すると、本(present)円盤状型合成ホログラムは画像再構成装置の規模の減少をもたらし、さらに、合成ホログラムの頂上上方に復元画像が配置され、そのため、ユーザは制約なしに画像の全体像を見渡すことができ、好ましい観察を得ることができる。第２に、合成ホログラムの応用(application)は本質的に、干渉光を利用することなく画像の復元に非干渉光を利用するため、本発明において、復元光としてＬＥＤが好ましくは採用される。ＬＥＤが、赤、緑、及び青により混ぜ合わされた白色光を採用する場合、簡易な構成部品と共に限定された帯域幅が得られて、復元画像を鮮明にする。色を変更可能又は多様な色により作られるＬＥＤの場合、ＬＥＤは色変更のためのプログラム制御器によって変化され、それによって、出射において使用される色とりどりの光の光源に対して適応する多光出射をもたらし、そこから明確な画像を復元し、これによって、完全又は特定の色を復元画像上に投影し、素晴らしいパフォーマンスを得る。さらに、円盤状型ホログラム及びＬＥＤは小さな規模を有し、これは、本発明に係る３Ｄ画像再構成装置を平らにして小型化し、携帯電話、ノートパソコン、カメラ、ＰＤＡなどの現在の携帯型電気製品に簡単に内蔵することが可能になる。
【００４２】
図１４を参照すると、本発明に従うホログラムを復元可能な携帯電話は、ウィンドウ９４を有する主要本体、ＬＥＤ、ホログラムシート、駆動機構、及びウィンドウ９４内に取り付けられた上記の円盤状型合成ホログラムを含む。ＬＥＤ及び駆動機構は電話の電源に電気的に接続され、ホログラムシートは、駆動機構とかみ合うＬＥＤの前面に配置される。円盤状型合成ホログラムは、ホログラムシート上に配置される。円盤状型合成ホログラムが、図１４に示されるような漫画の特徴のような静止画像を記録する間は、駆動機構は動作しない。復元画像に向けてのＬＥＤの照射の下で、静止の漫画画像は電話本体の前面に示される。円盤状型合成ホログラムが動的な画像を記録する場合、ホログラムシートが駆動機構によって回転され、合成ホログラムもまたホログラムシートによって回転される。復元画像に向けてのＬＥＤの照射の下で、動的かつ回転する漫画画像はウィンドウ９４の前面に示される。
【００４３】
図１５を参照すると、本発明に従うホログラムを復元可能なノートパソコンは、ウィンドウ９４を有する主要本体、ＬＥＤ、ホログラムシート、駆動機構、及びウィンドウ９４内に取り付けられた上記の円盤状型合成ホログラムを含む。ＬＥＤ及び駆動機構はノートパソコンの電源に電気的に接続され、ホログラムシートは、駆動機構とかみ合うＬＥＤの前面に配置される。円盤状型合成ホログラムは、ホログラムシート上に配置される。円盤状型合成ホログラムが、図１５に示されるような漫画の特徴のような静止画像を記録する間は、駆動機構は動作しない。復元画像に向けてのＬＥＤの照射の下で、静止の漫画画像はノートパソコン本体の前面に示される。円盤状型合成ホログラムが動的な画像を記録する場合、ホログラムシートが駆動機構によって回転され、合成ホログラムもまたホログラムシートによって回転される。復元画像に向けてのＬＥＤの照射の下で、動的かつ回転する漫画画像はノートパソコンのウィンドウ９４の前面に示される。
【００４４】
本発明に従うホログラムを復元可能なカメラは、ウィンドウ９４を有する主要本体、ＬＥＤ、ホログラムシート、駆動機構、及びウィンドウ９４内に取り付けられた上記の円盤状型合成ホログラムを含む。ＬＥＤ及び駆動機構はカメラの電源に電気的に接続され、ホログラムシートは、駆動機構とかみ合うＬＥＤの前面に配置される。円盤状型合成ホログラムは、ホログラムシート上に配置される。円盤状型合成ホログラムが、静止画像を記録する間は、駆動機構は動作しない。復元画像に向けてのＬＥＤの照射の下で、静止画像はカメラ本体の前面に示される。円盤状型合成ホログラムが動的な画像を記録する場合、ホログラムシートが駆動機構によって回転され、合成ホログラムもまたホログラムシートによって回転される。復元画像に向けてのＬＥＤの照射の下で、動的かつ回転する画像はカメラのウィンドウ９４の前面に示される。
【００４５】
図１６を参照すると、本発明に従うホログラムを復元可能な表示プロジェクタは、ウィンドウ９４を有する主要本体、ＬＥＤ、ホログラムシート、駆動機構、及びウィンドウ９４内に取り付けられた上記の円盤状型合成ホログラムを含む。ＬＥＤ及び駆動機構はプロジェクタの電源に電気的に接続され、ホログラムシートは、駆動機構とかみ合うＬＥＤの前面に配置される。円盤状型合成ホログラムは、ホログラムシート上に配置される。円盤状型合成ホログラムが、図１６に示されるようなステレオ車のような静止画像を記録する間は、駆動機構は動作しない。復元画像に向けてのＬＥＤの照射の下で、ステレオ車の画像はプロジェクタ本体の前面に静止して示される。円盤状型合成ホログラムが動的な画像を記録する場合、ホログラムシートが駆動機構によって回転され、合成ホログラムもまたホログラムシートによって回転される。復元画像に向けてのＬＥＤの照射の下で、動的かつ回転する車の画像はプロジェクタのウィンドウ９４の前面に示される。
【００４６】
本発明に従う実施の形態を参照して説明したが、本発明のスコープから離れることなしにさらなる実施の形態がなされることは、当業者にとって明らかである。
【図１】
0003187397.tif 000003
【図２】
0003187397.tif 000004
【図３】
0003187397.tif 000005
【図４】
0003187397.tif 000006
【図５】
0003187397.tif 000007
【図６】
0003187397.tif 000008
【図７】
0003187397.tif 000009
【図８】
0003187397.tif 000010
【図９】
0003187397.tif 000011
【図１０】
0003187397.tif 000012
【図１１】
0003187397.tif 000013
【図１２】
0003187397.tif 000014
【図１３】
0003187397.tif 000015
【図１４】
0003187397.tif 000016
【図１５】
0003187397.tif 000017
【図１６】
0003187397.tif 000018
【手続補正書】
【提出日】平成25年5月15日(2013.5.15)
【手続補正１】
【補正対象書類名】実用新案登録請求の範囲
【補正対象項目名】全文
【補正方法】変更
【補正の内容】
【実用新案登録請求の範囲】
【請求項１】
ホログラフィック再構成装置は合成ホログラム、ホログラムシート、及び復元光を含み、前記合成ホログラムは平らな円盤状の輪郭(contour)に形成されて前記ホログラムシート上に配置され、前記復元光はＬＥＤを採用して前記ホログラムシートの下方に配置される、ことを特徴とする。
【請求項２】
請求項１に記載の装置であって、前記ホログラムシートは前記ホログラフィック再構成装置の本体と一体化している(is identical to)。
【請求項３】
請求項１又は２に記載の装置であって、前記装置は、前記ホログラムシートを回転させることによって前記合成ホログラムの回転を駆動する駆動機構を更に有する。
【請求項４】
請求項３に記載の装置であって、前記駆動機構は、モータ及び減速ギア組立部品を有し、前記減速ギア組立部品は小さなギア及び大きなギアを有し、前記小さなギアは前記モータに接続し、前記大きなギアは前記ホログラムシートの外周に取り付けられ、これによって、前記減速ギア組立部品によって前記モータに前記ホログラムを回転させる。
【請求項５】
請求項３に記載の装置であって、前記駆動機構は、モータ及びベルト車の組合せ又はモータ及びチェーンの組合せである。
【請求項６】
請求項３から５いずれか１項に記載の装置であって、前記装置は本体を含み、前記ホログラムシートは前記本体に回転可能に取り付けられ、前記駆動機構及び前記ＬＥＤは前記本体に取り付けられる。
【請求項７】
請求項１から６いずれか１項に記載の装置であって、前記ＬＥＤは白色光によって作られる。
【請求項８】
請求項１から６いずれか１項に記載の装置であって、前記ＬＥＤは単色光によって作られる。
【請求項９】
請求項１から８いずれか１項に記載の装置であって、前記ＬＥＤは、プログラム制御器によって色変化及び組合せが操作される、複数色を詰め合わせた光によって作られる。
【請求項１０】
請求項１から９いずれか１項に記載の装置であって、前記合成ホログラムが出射されているときに参照ビームは円盤状のプレート(plate)の軸に関して同軸であり、前記ＬＥＤは前記ホログラムシートの真下の基板上に配置され前記合成ホログラムの軸に忠実に(true to)位置する。
【請求項１１】
請求項１から９いずれか１項に記載の装置であって、前記合成ホログラムが出射されているときに参照ビームは円盤状のプレート(plate)の軸から外れ、前記ＬＥＤは前記ホログラムシートの真下の基板上に配置され前記合成ホログラムの軸から外れて位置する。
【請求項１２】
請求項１から１１いずれか１項に記載の装置であって、前記合成ホログラムは重複する隣接した２回の(twice)露光領域を有する。
【請求項１３】
請求項１から１２いずれか１項に記載の装置であって、前記合成ホログラムが外部に接触する表面を透明保護層が覆う。
【請求項１４】
請求項１、１０、１１、１２、又は１３に記載の装置であって、前記合成ホログラムの出射の下、カメラのカメラ出射角度は３０°から４０°の範囲にわたり、前記円盤状のプレート(plate)及び対象物の回転角度は０．１°から１°の範囲にわたり、対象物ビームの入射角は３０°から９０°の範囲にわたり、前記対象物ビームの収束と前記円盤状のプレート(plate)の間の距離は１０から２０ｃｍの範囲にわたる。
【請求項１５】
ホログラムを復元可能な携帯型電気製品は、ウィンドウを有する主要本体と、前記ウィンドウを有し、前記電気製品の電源に電気的に接続された、請求項１から１４に上記して記載した前記ホログラフィック再構成装置と、を含む。
【請求項１６】
ホログラムを復元可能な携帯型電気製品は、ウィンドウを有する主要本体と、前記ウィンドウを有し、前記電気製品の電源に電気的に接続された、請求項１から１４に上記して記載した前記ホログラフィック再構成装置と、を含む。
【請求項１７】
請求項１５又は１６に記載の製品であって、前記携帯型電気製品は、携帯電話、ノートパソコン、ＰＤＡ、カメラ、及びプロジェクタを採用する。
【手続補正書】
【提出日】平成25年5月23日(2013.5.23)
【手続補正１】
【補正対象書類名】図面
【補正対象項目名】図１
【補正方法】変更
【補正の内容】
【図１】
0003187397.tif 000019
【手続補正２】
【補正対象書類名】図面
【補正対象項目名】図８
【補正方法】変更
【補正の内容】
【図８】
0003187397.tif 000020
【手続補正３】
【補正対象書類名】図面
【補正対象項目名】図９
【補正方法】変更
【補正の内容】
【図９】
0003187397.tif 000021
【手続補正４】
【補正対象書類名】図面
【補正対象項目名】図１０
【補正方法】変更
【補正の内容】
【図１０】
0003187397.tif 000022
【手続補正５】
【補正対象書類名】図面
【補正対象項目名】図１２
【補正方法】変更
【補正の内容】
【図１２】
0003187397.tif 000023
【手続補正６】
【補正対象書類名】図面
【補正対象項目名】図１５
【補正方法】変更
【補正の内容】
【図１５】
0003187397.tif 000024
【手続補正７】
【補正対象書類名】図面
【補正対象項目名】図１６
【補正方法】変更
【補正の内容】
【図１６】
0003187397.tif 000025